(57)【特許請求の範囲】
【請求項１】
第一の操作領域と第二の操作領域とを有する操作部と、
前記操作部への接触を検出する検出手段と、
前記検出手段により前記第一の操作領域への接触と前記第二の操作領域への接触とが検出されている場合、前記第二の操作領域への操作の操作量が閾値未満のときは前記第一の操作領域への操作に対応した制御を行い、前記第二の操作領域への操作の操作量が前記閾値以上のときは前記第二の操作領域への操作に対応した制御を行う制御手段と、を有し、
前記制御手段は、前記検出手段により前記第一の操作領域への接触が検出されずに前記第二の操作領域への接触が検出されている場合、前記第二の操作領域への操作の操作量が前記閾値未満であっても前記第二の操作領域への操作に対応した制御を行うことを特徴とする電子機器。
【請求項２】
前記操作量は、前記第二の操作領域への接触位置の移動距離を表すことを特徴とする請求項１に記載の電子機器。
【請求項３】
前記操作量は、前記第二の操作領域への接触位置の移動速度を表すことを特徴とする請求項１に記載の電子機器。
【請求項４】
第一の操作領域と第二の操作領域とを有する操作部を備えた電子機器の制御方法であって、
前記操作部への接触を検出する検出ステップと、
前記検出ステップで前記第一の操作領域への接触と前記第二の操作領域への接触とが検出されている場合、前記第二の操作領域への操作の操作量が閾値未満のときは前記第一の操作領域への操作に対応した制御を行い、前記第二の操作領域への操作の操作量が前記閾値以上のときは前記第二の操作領域への操作に対応した制御を行う制御ステップと、を有し、
前記制御ステップは、前記検出ステップで前記第一の操作領域への接触が検出されずに前記第二の操作領域への接触が検出されている場合、前記第二の操作領域への操作の操作量が前記閾値未満であっても前記第二の操作領域への操作に対応した制御を行うことを特徴とする電子機器の制御方法。
【発明の詳細な説明】
【技術分野】
【０００１】
本発明はデジタルカメラ等の電子機器に関するものであり、操作部への接触を検出することができる電子機器に関するものである。
【背景技術】
【０００２】
近年デジタルカメラを始めとする電子機器は多機能化が進み、それに伴って操作部も様々な形態となっている。例えば、特許文献１では、操作部に環状の十字ボタンとその十字ボタンの環内にセンターボタンとを設け、十字ボタンを回すように操作してメニュー選択を行なう。操作時には十字ボタンは回転せず、十字ボタンの下に設けられたカーボン印刷層と金属板が十字ボタンを押下した点で接触し、その接触時の抵抗値から押下点の座標を読み取ることでメニュー選択できる。
【先行技術文献】
【特許文献】
【０００３】
【特許文献１】特開２００７−２１３９６４号公報
【発明の概要】
【発明が解決しようとする課題】
【０００４】
しかしながら、本体サイズの小型化やＬＣＤ等の表示部の大型化により操作部の配置スペースが小さくなっているので、特許文献１に記載された操作部のような構成では、ユーザがセンターボタンを操作するときに誤って十字ボタンに触れてしまうことが考えられる。そのような場合、ユーザが十字ボタンを操作しようとしていないのに十字ボタンを操作してしまうため、ユーザの意図しない機能を選択してしまうという問題があった。
【０００５】
以上の課題を解決するために本発明は、接触を検出できる操作部に対するユーザの誤操作を防止できるような電子機器を提供することを目的とする。
【課題を解決するための手段】
【０００６】
本発明に係る電子機器は、第一の操作領域と第二の操作領域とを有する操作部と、前記操作部への接触を検出する検出手段と、前記検出手段により前記第一の操作領域への接触と前記第二の操作領域への接触とが検出されている場合、前記第二の操作領域への操作の操作量が閾値未満のときは前記第一の操作領域への操作に対応した制御を行い、前記第二の操作領域への操作の操作量が前記閾値以上のときは前記第二の操作領域への操作に対応した制御を行う制御手段と、を有し、前記制御手段は、前記検出手段により前記第一の操作領域への接触が検出されずに前記第二の操作領域への接触が検出されている場合、前記第二の操作領域への操作の操作量が前記閾値未満であっても前記第二の操作領域への操作に対応した制御を行うことを特徴としている。
【発明の効果】
【０００７】
以上説明したように、本発明によれば、ユーザの誤操作を防止でき操作性を向上させることができる。
【図面の簡単な説明】
【０００８】
【図１】本実施形態のカメラの前面側からの斜視図
【図２】本実施形態のカメラの背面側からの斜視図
【図３】本実施形態の十字ボタン１２１およびセンターボタン１２３を示した図
【図４】本実施形態のカメラのブロック図
【図５】本実施形態のスイッチの正面図
【図６】本実施形態のスイッチの斜視図
【図７】本実施形態の操作部の断面図
【図８】本実施形態の十字ボタンを操作する際のフローチャート
【発明を実施するための形態】
【０００９】
図１および図２は本実施形態であるカメラの構成を説明する図である。１はカメラの正面側を覆う前面カバー、２は裏側を覆う背面カバーである。１１は撮影レンズ等を保持する鏡筒ユニットであり、鏡筒を駆動させるためのズームモーター１３およびギヤユニット１４が一体的に組みつけられている。そして鏡筒ユニット１１は、鏡筒固定ねじ１２ａ、１２ｂ，１２ｃにより金属シャーシ４に固定される。
【００１０】
２１は電池２３を保持するための電池ケースであり、電池ケース固定ねじ２２ａおよび２２ｂによって金属シャーシ４に固定される。電池ケース２１の一面には開口部２１ａがあり、メモリーカードスロット５２によってふたがされるように構成されている。また、メイン配線基板５１にコネクタ接続されている電源フレキシブル配線基板３１の電池ケース２１側には電源コネクタ３２および映像・音声ジャック３３が実装され、電池ケース２１に設けられた凹部２１ｅおよび２１ｆに組み合わせれるように配されている。電池ケース２１には３角形の穴２１ｂがあけられている。この穴２１ｂの位置は電池２３上にある挿入方向指示マーク２３ａに左右方向を略同一とし、この位置を合わせて電池２３を電池ケース２１に挿入することで、電池２３が正しく挿入されるようにしている。
【００１１】
４１はストロボユニットであり、４２はストロボ発光部、下方に伸びたフレーム部分にストロボ回路を実装したストロボフレキシブル配線基板４３が貼り付けられるとともに、ストロボコンデンサー４４が固定されている。そしてストロボユニット４１は鏡筒ユニット１１に組みつけられたズームモーター１３およびギヤユニット１４の前面に配され、側面よりストロボ固定ねじ４５により金属シャーシ４に固定されている。
【００１２】
５１はＣＰＵやメモリ、画像処理ＬＳＩ、電源回路等が実装されたメイン配線基板であり、背面に映像や音声を保存する外部メモリーであるメモリーカード５３のメモリーカードスロット５２およびＵＳＢコネクタ５４が実装されている。そしてメイン配線基板５１はメイン配線基板固定ねじ５５ａ、５５ｂおよび５５ｃによって金属シャーシ４にねじ止めされる。
【００１３】
６１はレリーズボタン１０８、電源ボタン１０９等を実装した操作フレキシブル配線基板、７１はスピーカーである。
【００１４】
８１は液晶パネルであり液晶カバー８２でカバーすることによってバックライト８３と一つのユニットを構成している。この液晶パネル８１とバックライト８３のユニットは液晶固定ねじ８４ａおよび８４ｂによって金属シャーシ４に固定される。また８５は補強板であり、外圧から液晶パネル８１を保護するためにとり付けられている。
【００１５】
９１はその中心部に導光部材９２が貼り付けられた発光ボタンであり、操作フレキシブル配線基板６１に実装されたタクトスイッチ６２を導光部材９２によって押すように構成されている。そしてタクトスイッチ６２の横には発光ダイオード６３が配されており、導光部材９２を通して発光ダイオード６３の発した光が発光ボタン９１の表面に導かれる。発光ボタン９１は背面カバー２に接着固定された背面窓３に位置決め固定されている。
【００１６】
１０１はカメラの動作モードの切替レバー１０２、ズームレバー１０７、レリーズボタン１０８および電源ボタン１０９を保持する上面カバーであり、電池ケース２１の上面に操作フレキシブル配線基板６１をはさんで配置される。また、上面カバー１０１の側部にはＵＳＢコネクタ５４および映像・音声ジャック３３をカバーするためのジャックカバー１１０を収納する凹部１０１ａが設けられている。
【００１７】
カメラの動作モードの切替レバー１０２は、左右に動かすことで静止画撮影、動画撮影、画像再生を切り替える。切替レバー１０２は上面カバー１０１を挟んで、背面のクリック板１０３および切片１０４とともに切替レバー固定ねじ１０５によって固定され、クリック板１０３に設けられた３つの穴の間をクリックボール１０６が移動することでクリック感を出している。また、操作フレキシブル配線基板６１上の配線露出部６４上を移動することにより動作モードが電気的に切り替えられる。
【００１８】
１１１は側面カバーであり、カメラの側面を覆うとともに、略中央に穴１１１ａが開けられ、その間のバー部１１１ｂにストラップ紐がかけられるようになっている。また、穴部１１１ａには背面より内部が半球状にくりぬかれたインナー部材１１３がはめ込まれている。そして、側面カバー１１１は側面カバーねじ１１４ａおよび１１４ｂによって、前面カバー１、背面カバー２およびインナー部材１１３を挟み込んだ状態で金属シャーシ４に固定される。５は三脚取り付け用のねじが切られた三脚取り付け座である。
【００１９】
前面カバー１および背面カバー２は側面固定ねじ６ａ、６ｂにより側面より、また、底面固定ねじ７ａ、７ｂにより底面より固定される。
【００２０】
１２１は十字ボタン（第二の操作部材）であり、十字ボタン１２１にはデコレーション用の十字ボタンキャップ１２２が接着固定され、２つの部材で一つの操作ボタンを形成している。この十字ボタン１２１は操作部材保持マット１２４に固定され、センターボタン１２３（第一の操作部材）と共に中立位置への保持が行われている。また、センターボタン１２３は操作部材保持マット１２４により位置決めおよび保持が行われている。十字ボタン１２１およびセンターボタン１２３は図３ように、センターボタン１２３の周囲を囲んで十字ボタン１２１が配置される。
【００２１】
十字ボタン１２１の押し込み方向には、スイッチが２種類重なって構成されており、一つはアナログスイッチ１３０ａ（第二の検出手段）でもう一つは金属ドームシート１４１である。それぞれのスイッチは同一の位置決めで位置合わせが行われており、十字ボタン１２１をユーザが操作した際には、十字ボタン１２１に設けられたエンボス１２１ａおよび半円柱形状リブ１２１ｂによってスイッチが押圧される。その結果、同一の押下点で２つのスイッチによる入力がカメラに対して行われる。
【００２２】
センターボタン１２３の押し込み方向には、前述の十字ボタン１２１と同様にスイッチが２種類重なって構成されており、一つはアナログスイッチ１３０ｂ（第一の検出手段）でもう一つは金属ドームシート１４１である。それぞれのスイッチは同一の位置決めで位置合わせが行われており、センターボタン１２３をユーザが操作した際には、センターボタン１２３に設けられたエンボス１２３ａによってスイッチが押圧される。その結果、同一の押下点で２つのスイッチによる入力がカメラに対して行われる。
【００２３】
図４は本実施形態であるカメラのブロック図である。２０１はバリアであり、撮影レンズ２０２を含む撮像部を覆うことにより、撮像系の汚れや破損を防止する。２０２は撮影レンズ、２０３は絞り機能を備えるシャッター、２０４は光学像を電気信号に変換するＣＣＤやＣＭＯＳ素子等で構成される撮像部である。２０５はＡ／Ｄ変換器であり、アナログ信号をデジタル信号に変換する。Ａ／Ｄ変換器２０５は、撮像部２０４から出力されるアナログ信号をデジタル信号に変換する場合や、音声制御部２０６から出力されるアナログ信号をデジタル信号に変換する場合に用いられる。２０７はタイミング発生部であり、撮像部２０４、音声制御部２０６、Ａ／Ｄ変換器２０５、Ｄ／Ａ変換器２０８にクロック信号や制御信号を供給する。タイミング発生部２０７は、メモリ制御部２０９及びシステム制御部２１０により制御される。２１１は画像処理部であり、Ａ／Ｄ変換器２０５からのデータ、又は、メモリ制御部２０９からのデータに対し所定の画素補間、縮小といったリサイズ処理や色変換処理を行う。また、画像処理部２１１では、撮影した画像データを用いて所定の演算処理が行われ、得られた演算結果に基づいてシステム制御部２１０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２１１では更に、撮影した画像データを用いて所定の演算処理を行い、得られた演算結果に基づいてＴＴＬ方式のＡＷＢ（オートホワイトバランス）処理も行っている。
【００２４】
Ａ／Ｄ変換器２０５からの出力データは、画像処理部２１１及びメモリ制御部２０９を介して、或いは、直接メモリ制御部２０９を介して、メモリ２１２に書き込まれる。メモリ２１２は、撮像部２０４によって得られＡ／Ｄ変換器２０５によりデジタルデータに変換された画像データや、液晶パネル８１を含む画像表示部９４に表示するための画像データを格納する。尚、メモリ２１２は、マイク９３において録音された音声データ、静止画像、動画像および画像ファイルを構成する場合のファイルヘッダを格納するのにも用いられる。従って、メモリ２１２は、所定枚数の静止画像や所定時間の動画像および音声を格納するのに十分な記憶容量を備えている。
【００２５】
圧縮／伸張部２１３は、適応離散コサイン変換（ＡＤＣＴ）等により画像データを圧縮、伸張する。圧縮／伸張部２１３は、シャッター２０３をトリガにしてメモリ２１２に格納された撮影画像を読み込んで圧縮処理を行い、処理を終えたデータをメモリ２１２に書き込む。また、記録媒体３０１などからメモリ２１２に読み込まれた圧縮画像に対して伸張処理を行い、処理を終えたデータをメモリ２１２に書き込む。圧縮／伸張部２１３によりメモリ２１２に書き込まれた画像データは、システム制御部２１０のファイル部においてファイル化される。そして、インターフェース２１４、コネクタ２１５、記録媒体３０１側のコネクタ３０３、インターフェース３０２を介して、記録媒体３０１に記録される。また、メモリ２１２は画像表示用のメモリ（ビデオメモリ）を兼ねている。Ｄ／Ａ変換器２０８は、メモリ２１２に格納されている画像表示用のデータをアナログ信号に変換して画像表示部９４に供給する。９４は画像表示部であり、液晶パネル８１等の表示器上に、メモリ２１２に書き込まれた表示用の画像データをＤ／Ａ変換器２０８を介してアナログ信号に変換して表示を行う。９３はマイクであり、マイク９３から出力された音声信号は、アンプ等で構成される音声制御部２０６を介してＡ／Ｄ変換器２０５に供給され、Ａ／Ｄ変換器２０５においてデジタル信号に変換された後、メモリ制御部２０９によってメモリ２１２に格納される。一方、記録媒体３０１に記録されている音声データは、メモリ２１２に読み込まれた後、Ｄ／Ａ変換器２０８によりアナログ信号に変換される。音声制御部２０６は、このアナログ信号によりスピーカ７１を駆動し、音声出力する。不揮発性メモリ２１６は電気的に消去・記録可能なメモリであり、例えばＥＥＰＲＯＭ等が用いられる。不揮発性メモリ２１６には、システム制御部２１０の動作用の定数、プログラム等が記憶される。ここでいう、プログラムとは、本実施形態にて後述する各種フローチャートを実行するためのプログラムのことである。２１０はシステム制御部であり、不揮発性メモリ２１６に記録されたプログラムを実行することで、後述する本実施形態の各処理を実現する。２１７はシステムメモリであり、ＲＡＭが用いられる。システムメモリ２１７には、システム制御部２１０の動作用の定数、変数、不揮発性メモリ２１６から読み出したプログラム等を展開する。
【００２６】
ズームレバー１０７、切替レバー１０２、レリーズボタン１０８および操作部２００はシステム制御部２１０に各種の動作指示を入力するための操作手段である。切替レバー１０２は、システム制御部２１０の動作モードを静止画記録モード、動画記録モード、再生モード等のいずれかに切り替えることができる。レリーズボタン１０８は第１のレリーズボタン１０８ａと第２のレリーズボタン１０８ｂからなる。第１のレリーズボタン１０８ａは、レリーズボタン１０８の操作途中（半押し）でＯＮとなり第１のシャッタースイッチ信号ＳＷ１を発生する。システム制御部２１０は、第１のシャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。第２のレリーズボタン１０８ｂは、レリーズボタン１０８の操作完了（全押し）でＯＮとなり、第２のシャッタースイッチ信号ＳＷ２を発生する。システム制御部２１０は、第２のシャッタースイッチ信号ＳＷ２により、撮像部２０４からの信号読み出しから記録媒体３０１に画像データを書き込むまでの一連の撮影処理の動作を開始する。
【００２７】
操作部２００の各操作部材は、画像表示部９４に表示される種々の機能アイコンを選択操作することなどにより、場面ごとに適宜機能が割り当てられ、各種機能ボタンとして作用する。機能ボタンとしては例えば終了ボタン、戻るボタン、画像送りボタン、ジャンプボタン、絞込みボタン、属性変更ボタン等がある。例えば、メニューボタンが押されると各種設定が可能なメニュー画面が画像表示部９４に表示される。操作部２００は十字ボタン１２１とセンターボタン１２３を含んでおり、操作者は、画像表示部９４に表示されたメニュー画面と、十字ボタン１２１やセンターボタン１２３とを用いて直感的に各種設定を行うことができる。電源ボタン１０９は、電源オン、電源オフを切り替える。
【００２８】
２１８は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部２１８は、その検出結果及びシステム制御部２１０の指示に基づいてＤＣ−ＤＣコンバータを制御し、必要な電圧を必要な期間、記録媒体３０１を含む各部へ供給する。
【００２９】
２１９は電源部であり、アルカリ電池やリチウム電池等の一次電池やＮｉＣｄ電池やＮｉＭＨ電池、Ｌｉ電池等の二次電池、ＡＣアダプター等からなり、図１および図２の電池２３に対応している。３２はコネクタであり、電源部２１９と電源制御部２１８とを接続する。
【００３０】
２２０はＲＴＣ（Ｒｅａｌ  Ｔｉｍｅ  Ｃｌｏｃｋ）であり、日付及び時刻を計時する。ＲＴＣ２２０は、電源制御部２１８とは別に内部に電源部を保持しており、電源部２１９が落ちた状態であっても、計時状態を続ける。システム制御部２１０は起動時にＲＴＣ２２０より取得した日時を用いてシステムタイマを設定し、タイマ制御を実行する。
【００３１】
２１４は記録媒体３０１とのインターフェースである。２１５は記録媒体３０１とインターフェース２１４との接続のためのコネクタである。２２１は記録媒体着脱検知部であり、コネクタ２１５に記録媒体３０１が装着されているか否かを検知する。
【００３２】
記録媒体３０１はメモリカードやハードディスク等の記録媒体であり、図１および図２のメモリーカード５３に対応している。記録媒体３０１はインターフェース３０２及びカメラと接続するためのコネクタ３０３を備えている。
【００３３】
通信部２２２は、ＲＳ２３２ＣやＵＳＢ、ＩＥＥＥ１３９４、Ｐ１２８４、ＳＣＳＩ、モデム、ＬＡＮ、無線通信、等の各種通信処理を行う。コネクタ（無線通信の場合はアンテナ）２２３は、通信部２２２を介してカメラを他の機器と接続する。
【００３４】
次に、図５、図６および図７を用いてアナログスイッチ１３０ａおよびアナログスイッチ１３０ｂの詳細を説明する。アナログスイッチ１３０ａは、フレキシブル配線基板１３２ａと金属板１３１ａとが一体に固定されている。フレキシブル配線基板１３２ａにはカーボン印刷部１３４ａが設けられており、カーボン印刷部１３４ａと金属板１３１ａとの間にはギャップができるように構成されている。このフレキシブル配線基板１３２ａ上の配線露出部１３３は金属板１３１ａとは導電膜によって導通を持ったまま接着が施され、フレキシブル配線基板上の配線との導通を確保している。十字ボタン１２１がユーザの接触操作によって押下された時、押下点では十字ボタン１２１に設けられたエンボス１２１ａまたは半円柱形状リブ１２１ｂがカーボン印刷部１３４ａをたわませる。この時、押下点のカーボン印刷部１３４ａと金属板１３１ａとのギャップが潰れ接触することで抵抗値が変化する。カーボン印刷部１３４ａは、図５のような十字ボタン１２１の形状に合わせた形状で設けられており、十字ボタン１２１のどこを押下されたかによって抵抗値が異なるので、抵抗値の変化から十字ボタン１２１の押下点が検出できる。
【００３５】
なお、押下点はユーザが十字ボタン１２１を操作する際に接触する接触位置に対応している。
【００３６】
また、接触位置が連続的に変化するようにユーザが十字ボタン１２１を操作した場合、接触位置の連続的な変化に対応して抵抗値も連続的に変化するので、抵抗値の変化量からユーザの十字ボタン１２１に対する操作量がわかる。
【００３７】
アナログスイッチ１３０ｂは、フレキシブル配線基板１３２ｂと金属板１３１ｂとが一体に固定されている。フレキシブル配線基板１３２ｂにはカーボン印刷部１３４ｂが設けられており、カーボン印刷部１３４ｂと金属板１３１ｂとの間にはギャップができるように構成されている。センターボタン１２３がユーザの接触操作によって押下された時、センターボタン１２３に設けられたエンボス１２３ａがカーボン印刷部１３４ｂをたわませる。この時、押下点のカーボン印刷部１３４ｂと金属板１３１ｂとのギャップが潰れ接触することで抵抗値が変化する。その抵抗値の変化からセンターボタン１２３が押下されたことが検出できる。
【００３８】
なお、カーボン印刷部１３４ａと金属板１３１ａとの間のギャップおよびカーボン印刷部１３４ｂと金属板１３１ｂとの間のギャップは微小であり、軽微な力でフレキシブル配線基板１３２ａをたわませることができる。そのため、ユーザが触れただけでも十字ボタン１２１およびセンターボタン１２３が押下されたことが検出できる。
【００３９】
ただし、十字ボタン１２１およびセンターボタン１２３にユーザが触れただけでそれぞれのボタンに対応したメニューを決定できるようにすると、ユーザが意図せず触れただけでメニュー決定がされてしまう。そこで、十字ボタン１２１およびセンターボタン１２３のそれぞれに対応したメニュー決定を行う場合には、金属ドームシート１４１が押圧される程度の力を必要とし、ユーザが触れただけではメニュー決定されない構成としている。
【００４０】
また、従来技術のように、十字ボタン１２１にのみアナログスイッチ１３０ａを構成している場合、図３のようにユーザの指がセンターボタン１２３を押下する際に十字ボタン１２１に触れてしまい、ユーザが意図しないメニューを決定してしまうことがあった。このような誤操作を防止するために、前述のようにセンターボタン１２３にアナログスイッチ１３０ｂを設け、十字ボタン１２１の操作を有効にするかセンターボタン１２３の操作を有効にするかをユーザの動作により判断し制御を行う構成にしている。
【００４１】
次に、ユーザが十字ボタン１２１を操作する際の制御を図８のフローチャートを用いて説明する。
【００４２】
本実施形態のカメラでは、十字ボタン１２１およびセンターボタン１２３に対して行われた操作の処理をシステム制御部２１０が行う。
【００４３】
ユーザに十字ボタン１２１が触れられたことを検出すると（Ｓ１０１）、ユーザにセンターボタン１２３が触れられているか否かを判定する（Ｓ１０２）。十字ボタン１２１およびセンターボタン１２３が触れられているか否かは、前述のアナログスイッチ１３０ａとアナログスイッチ１３０ｂからの信号により検出される。次に、Ｓ１０２の結果に基づいて、十字ボタン１２１とセンターボタン１２３とのどちらの操作を有効にするかを判断するために用いる所定量を設定する。本フロチャートでは、所定量として角度を設定する場合を説明する。センターボタン１２３が触れられている場合には、所定角度を９０度（第一の所定量）に設定し（Ｓ１０３）、センターボタン１２３が触れられていない場合には、所定角度を４５度（第二の所定量）に設定する（Ｓ１０４）。
【００４４】
Ｓ１０３およびＳ１０４でセンターボタン１２３が触れられているか否かで設定する所定角度を変えているのは、ユーザの操作をしやすくするためである。図３のように十字ボタン１２１とセンターボタン１２３が隣接して設けられている場合、ユーザがセンターボタン１２３を操作しようとした際に十字ボタン１２１に触れてしまうことが考えられる。そうしたときに十字ボタン１２１に対しての操作が反映されてしまうと、ユーザの意図していない操作が行われることで誤操作になってしまう。そこで、センターボタン１２３が触れられている時は、触れられていない時より所定角度を大きく設定する。これにより、誤操作を防止することができ、かつ、ユーザの意図した操作を有効にすることができる。また、センターボタン１２３が触れられていない時も、十字ボタン１２１でのメニュー決定時のわずかな操作量に反応して誤操作しないように所定角度を設定する。ただし、このときの所定角度はセンターボタン１２３が触れられている時より小さく設定し、十字ボタン１２１の操作を妨げないようにしている。
【００４５】
次に、十字ボタン１２１の触れられた位置の変化から十字ボタン１２１の操作量を算出する（Ｓ１０５）。十字ボタン１２１の操作量は、十字ボタン１２１の触れられた位置がユーザの操作により操作開始時からどれだけ変化したかを表す量であり、前述のアナログスイッチ１３０ａの抵抗値の変化量から求められる。本フローチャートでは、十字ボタン１２１の中心を頂点した、操作開始時に触れられた位置との角度を操作量としている。
【００４６】
次に、十字ボタン１２１の操作量がＳ１０３またはＳ１０４で設定された所定角度以上かどうかを判断する（Ｓ１０６）。十字ボタン１２１の操作量が所定角度以上の場合、ユーザが十字ボタン１２１を操作する意図があると見なし、十字ボタン１２１の操作を有効にする（Ｓ１０７）。所定角度未満の場合、ユーザがセンターボタン１２３を操作する意図があると見なし、センターボタン１２３の操作を有効にする（Ｓ１０８）。
【００４７】
以上のように、センターボタン１２３がユーザにより触れられているか否かでユーザが十字ボタン１２１を操作する意図があるかを判断する所定角度を変更することで、誤操作を防止することができ、かつ、ユーザの操作したい操作を有効にすることができる。
【００４８】
なお、本実施形態では、所定角度をセンターボタン１２３が触れられている場合には９０度、触れられていない場合には４５度としたが、この角度に限ったものではなく、所望の効果が得られれば、角度を限定するのもではない。
【００４９】
また、十字ボタン１２１に対する操作の操作量を角度変化量として求め誤操作を防止していたが、角度に限らず、その他の操作量、例えば、操作移動速度、操作移動距離等の変化などを検出して誤操作を防止しても構わない。そのような場合、Ｓ１０３およびＳ１０４でそれぞれの操作量に対応した所定量を設定し、十字ボタン１２１に対する操作量が所定量以上の場合と所定量未満の場合とで有効にするボタンを変更するように制御すればよい。
【００５０】
また、十字ボタン１２１の押下点によって抵抗値が連続的に変化するアナログスイッチ１３０ａと金属ドームシート１４１のスイッチを用いた構成を説明したが、そのような構成に限ったものではない。例えば、押下した圧力を検知する感圧スイッチや静電気を検知して静電容量の変化を検知するスイッチやタクトスイッチなど、他のスイッチを用いても適用は容易である。
【００５１】
また、十字ボタン１２１の押し込み方向に金属ドームシート１４１を重ねて配置しているが、必ずしもその必要はない。
【００５２】
また、十字ボタン１２１の形状は環状に限ったものではなく、押下点を移動させることで選択操作を行うことができる形状であればよい。
【００５３】
また、十字ボタン１２１は複数の操作部材で構成され、センターボタン１２３を囲むように配置されていてもよい。
【００５４】
また、十字ボタン１２１とセンターボタン１２３は別部材で形成されているが、同一部材で形成されていてもよい。
【符号の説明】
【００５５】
１  前面カバー
２  背面カバー
４  金属シャーシ
５  三脚取り付け座
６ａ、６ｂ  側面固定ねじ
７ａ、７ｂ  底面固定ねじ
１１  鏡筒ユニット
１２ａ、１２ｂ、１２ｃ  鏡筒固定ねじ
１３  ズームモーター
１４  ギヤユニット
２１  電池ケース
２２ａ、２２ｂ  電池ケース固定ねじ
２３  電池
３１  電源フレキシブル配線基板
３２  電源コネクタ
３３  映像・音声ジャック
４１  ストロボユニット
４２  ストロボ発光部
４３  ストロボフレキシブル配線基板
４４  ストロボコンデンサー
４５  ストロボ固定ねじ
５１  メイン配線基板
５２  メモリーカードスロット
５３  メモリーカード
５４  ＵＳＢコネクタ
５５ａ、５５ｂ、５５ｃ  メイン配線基板固定ねじ
５６  姿勢検知手段
６１  操作フレキシブル配線基板
６２  タクトスイッチ
６３  発光ダイオード
６４  配線露出部
６５  コネクタ
７１  スピーカー
８１  液晶パネル
８２  液晶カバー
８３  バックライト
８４ａ、８４ｂ  液晶固定ねじ
８５  補強板
９１  発光ボタン
９２  導光部材
１０１  上面カバー
１０２  切替レバー
１０３  クリック板
１０４  切片
１０５  切替レバー固定ねじ
１０６  クリックボール
１０７  ズームレバー
１０８  レリーズボタン
１０９  電源ボタン
１１０  ジャックカバー
１１１  側面カバー
１１３  インナー部材
１１４ａ、１１４ｂ  側面カバーねじ
１２１  十字ボタン
１２１ａ、１２３ａ  エンボス
１２１ｂ  半円柱形状リブ
１２２  十字ボタンキャップ
１２３  センターボタン
１２４  操作部材保持マット
１３０ａ、１３０ｂ  アナログスイッチ
１３１ａ、１３１ｂ  金属板
１３２ａ、１３２ｂ  フレキシブル配線基板
１３３  配線露出部
１３４ａ、１３４ｂ  カーボン印刷部
１４１  金属ドームシート
２００  操作部
２０１  バリア
２０２  撮影レンズ
２０３  シャッター
２０４  撮像部
２０５  Ａ／Ｄ変換器
２０６  音声制御部
２０７  タイミング発生部
２０８  Ｄ／Ａ変換器
２０９  メモリ制御部
２１０  システム制御部
２１１  画像処理部
２１２  メモリ
２１３  圧縮／伸張部
２１４  インターフェース
２１５  コネクタ
２１６  不揮発性メモリ
２１７  システムメモリ
２１８  電源制御部
２１９  電源部
２２０  ＲＴＣ
２２１  記録媒体着脱検知部
２２２  通信部
２２３  コネクタ
３０１  記録媒体
３０２  インターフェース
３０３  コネクタ
【図１】
0005474119.tif 000002
【図２】
0005474119.tif 000003
【図３】
0005474119.tif 000004
【図４】
0005474119.tif 000005
【図５】
0005474119.tif 000006
【図６】
0005474119.tif 000007
【図７】
0005474119.tif 000008
【図８】
0005474119.tif 000009